(57)【要約】【課題】ベルトクリーニング装置のクリーニングブレードの対向ローラが中間転写ベルトのテンションローラの場合でも、中間転写ベルトの移動速度の変化等に影響されることなく、中間転写ベルト表面の良好なクリーニング動作を行うことができるようにする。【解決手段】現像器４ａで現像に用いられるトナー中に直径５０ｎｍ以上の無機微粒子を外添えしたことにより、クリーニングブレード１３ａ近傍にトナーから遊離した無機微粒子ｔが滞留することによって、クリーニングブレード１３ａと中間転写ベルト８との当接状態が安定し、かつ、トナーをブロックする層を形成するため、中間転写ベルト８表面に残留している残トナーを安定して良好にクリーニングすることができる。【選択図】　　　図２
2004037771.tif 000002
【特許請求の範囲】
【請求項１】
トナー像を担持する像担持体と、前記像担持体と１次転写部にて接触し、前記像担持体上に担持されたトナー像が１次転写バイアスの印加により１次転写される複数のローラ部材で移動自在に張架された無端ベルト状の中間転写体と、前記中間転写体の表面に接触し、前記１次転写されたトナー像を２次転写バイアスの印加により２次転写部にて転写材に２次転写した後に前記中間転写体上に残った転写残トナーを除去するクリーニング部材と、を備えた画像形成装置において、
前記中間転写体と接する前記クリーニング部材の先端近傍に、粒径５０ｎｍ以上の無機微粒子を供給する、
ことを特徴とする画像形成装置。
【請求項２】
前記無機微粒子は、トナー像を形成するトナー中に外添されており、前記トナーの帯電極性と同極性で、かつ単位面積当たりの電荷量が前記トナーより大きい帯電を帯びている、
ことを特徴とする請求項１に記載の画像形成装置。
【請求項３】
２次転写時以外の時に、２次転写時とは逆極性のバイアスを前記２次転写部に印加する、
ことを特徴とする請求項１又は２に記載の画像形成装置。
【請求項４】
前記複数のローラ部材は、前記中間転写体を駆動させるための第１のローラ部材と、前記２次転写部にて前記中間転写体を介して２次転写部材に当接自在な第２のローラ部材と、付勢手段による付勢力で前記中間転写体に張力を与える第３のローラ部材を少なくとも有し、前記クリーニング部材が前記中間転写体を介して前記第３のローラ部材と対向するように設置されている、
ことを特徴とする請求項１、２又は３に記載の画像形成装置。
【発明の詳細な説明】
【０００１】
【発明の属する技術分野】
本発明は、電子写真方式や静電記録方式などを利用して画像形成を行う複写機、プリンタ、ファクシミリ等の画像形成装置に関する。
【０００２】
【従来の技術】
電子写真方式のフルカラー画像形成装置として、各色（イエロー、マゼンタ、シアン、ブラック）毎に応じて配置した複数の感光ドラム上に形成された各色のトナー像を一旦中間転写体上に順次重ね合わせて転写してカラー画像を形成した後、中間転写体上のカラー画像を用紙などの転写材上に一括転写してフルカラー画像を形成する、いわゆるタンデム型のフルカラー画像形成装置が従来より知られている。
【０００３】
上記のようなフルカラー画像形成装置としては、例えば図３に示すように、中間転写体として無端ベルト状の中間転写ベルト１０５を用いたものがある。この画像形成装置では、４個（図では１個のみ示している）の感光ドラム１００を１次帯電器１０１で帯電し、入力される画像情報に応じて画像露光して静電潜像を形成する。
【０００４】
そして、この静電潜像を現像装置１０２で現像して、第１色目（例えばイエロー）のトナー像を、１次転写ローラ１０３を介して１次転写部で接する中間転写ベルト１０５上に１次転写し、以下同様にして形成した各色のトナー像を中間転写ベルト１０５上に重ね合わせてフルカラー画像を形成し、その後、２次転写部に設けた不図示の２次転写部材で用紙などの転写材に一括して２次転写する構成である。
【０００５】
なお、上記した１次転写後に、中間転写ベルト１０５上に転写されないで感光ドラム１００表面に残ったトナー（１次転写残トナー）はドラムクリーニング装置１０４によって除去される。また、最上流側に位置する感光ドラム１００に対して中間転写ベルト１０５の移動方向下流側にゴム材からなるクリーニングブレード１０８を有するベルトクリーニング装置１０７と除電帯電器（不図示）が設けられており、中間転写ベルト１０５の電荷を除去し、２次転写後に転写材に転写されないで中間転写ベルト１０５表面に残ったトナー（２次転写残トナー）を除去する。
【０００６】
また、中間転写ベルト１０５は、複数のローラ（一般に駆動ローラ（不図示）と、図３に示したテンションローラ１０６と、２次転写対向ローラ（不図示）の３個のローラ）によって張架されており、駆動ローラ（不図示）の回転駆動によって感光ドラム１００の回転に同期して矢印方向に移動する。
【０００７】
テンションローラ１０６は、図３に示すように、感光ドラム１００に対して中間転写ベルト１０５の移動方向下流側（２次転写後の中間転写ベルト１０５と当接する位置）に配置され、バネ（不図示）による付勢力によって中間転写ベルト１０５に張力を付与しているのが一般的である。よって、中間転写ベルト１０５は、クリーニングブレード１０８とテンションローラ１０６によって挟持されている。
【０００８】
【発明が解決しようとする課題】
上記した画像形成装置のように、ベルトクリーニング装置１０７のクリーニングブレード１０８の対向ローラとしてテンションローラ１０６を用いることは、コスト面でも、スペース面でも有利である。
【０００９】
しかしながら、テンションローラ１０６は、中間転写ベルト１０５に張力を与えるためにバネで付勢していることによって、中間転写ベルト１０５の移動状態によってはクリーニングブレード１０８と中間転写ベルト１０５表面の当接状態が不安定になる。このため、クリーニングブレード１０８と中間転写ベルト１０５表面の当接状態によっては、クリーニングブレード１０８の鳴きやめくれが生じて、クリーニング不良が発生するおそれがあった。
【００１０】
特に、厚紙やＯＨＰ等のトナーを定着するために大きな熱量を必要とする転写材を用いる時は、定着装置の定着ニップ部を通過する転写材の速度を遅くする方法がよく用いられるが、この際、画像形成の速度を転写材の搬送速度に合わせるために、感光ドラム１００や中間転写ベルト１０５の速度を遅くするということがよくある。
【００１１】
このため、感光ドラム１００の周速度や中間転写ベルト１０５の移動速度を遅くした瞬間の速度変化でテンションローラの位置が不安定になることがある。これにより、クリーニングブレード１０８と中間転写ベルト１０５表面の当接状態が不安定となり、その後のクリーニング動作が正常に行われなくなるおそれがあった。
【００１２】
そこで本発明は、ベルトクリーニング装置のクリーニングブレードの対向ローラが中間転写ベルトのテンションローラの場合でも、中間転写ベルトの移動速度の変化等に影響されることなく、中間転写ベルト表面の良好なクリーニング動作をおこなうことができる画像形成装置を提供することを目的とする。
【００１３】
【課題を解決するための手段】
上記目的を達成するために本発明は、トナー像を担持する像担持体と、前記像担持体と１次転写部にて接触し、前記像担持体上に担持されたトナー像が１次転写バイアスの印加により１次転写される複数のローラ部材で移動自在に張架された無端ベルト状の中間転写体と、前記中間転写体の表面に接触し、前記１次転写されたトナー像を２次転写バイアスの印加により２次転写部にて転写材に２次転写した後に前記中間転写体上に残った転写残トナーを除去するクリーニング部材と、を備えた画像形成装置において、前記中間転写体と接する前記クリーニング部材の先端近傍に、粒径５０ｎｍ以上の無機微粒子を供給することを特徴としている。
【００１４】
また、前記無機微粒子は、トナー像を形成するトナー中に外添されており、前記トナーの帯電極性と同極性で、かつ単位面積当たりの電荷量が前記トナーより大きい帯電を帯びていることを特徴としている。
【００１５】
また、２次転写時以外の時に、２次転写時とは逆極性のバイアスを前記２次転写部に印加することを特徴としている。
【００１６】
また、前記複数のローラ部材は、前記中間転写体を駆動させるための第１のローラ部材と、前記２次転写部にて前記中間転写体を介して２次転写部材に当接自在な第２のローラ部材と、付勢手段による付勢力で前記中間転写体に張力を与える第３のローラ部材を少なくとも有し、前記クリーニング部材が前記中間転写体を介して前記第３のローラ部材と対向するように設置されていることを特徴としている。
【００１７】
【発明の実施の形態】
以下、本発明を図示の実施の形態に基づいて説明する。
【００１８】
〈実施の形態１〉
図１は、本発明の実施の形態１に係る画像形成装置（本実施の形態では、電子写真方式で中間転写方式のプリンタ等のフルカラー画像形成装置）を示す概略構成図である。
【００１９】
この画像形成装置Ａは、イエロー色の画像を形成する画像形成部１Ｙと、マゼンタ色の画像を形成する画像形成部１Ｍと、シアン色の画像を形成する画像形成部１Ｃと、ブラック色の画像を形成する画像形成部１Ｂｋの４つの画像形成部（画像形成ユニット）を備えており、これらの４つの画像形成部は一定の間隔をおいて一列に配置されている。
【００２０】
各画像形成部１Ｙ、１Ｍ、１Ｃ、１Ｂｋには、それぞれ像担持体としての感光ドラム２ａ、２ｂ、２ｃ、２ｄが設置されている。各感光ドラム２ａ、２ｂ、２ｃ、２ｄの周囲には、１次帯電器３ａ、３ｂ、３ｃ、３ｄ、現像器４ａ、４ｂ、４ｃ、４ｄ、１次転写ローラ５ａ、５ｂ、５ｃ、５ｄ、ドラムクリーニング装置６ａ、６ｂ、６ｃ、６ｄがそれぞれ設置されており、１次帯電器３ａ、３ｂ、３ｃ、３ｄと現像器４ａ、４ｂ、４ｃ、４ｄ間の上方には露光装置７ａ、７ｂ、７ｃ、７ｄがそれぞれ設置されている。
【００２１】
１次転写ローラ５ａ、５ｂ、５ｃ、５ｄは、中間転写体としての無端ベルト状の中間転写ベルト８を介して各感光ドラム２ａ、２ｂ、２ｃ、２ｄ表面に所定の押圧力で接触し、各転写バイアス電源（不図示）から印加されるトナーとは逆極性の転写バイアスにより、感光ドラム２ａ、２ｂ、２ｃ、２ｄと１次転写ローラ５ａ、５ｂ、５ｃ、５ｄ間の各１次転写部Ｔａ，Ｔｂ，Ｔｃ，Ｔｄで、各感光ドラム２ａ、２ｂ、２ｃ、２ｄ表面の各色（イエロー、マゼンタ、シアン、ブラック）のトナー像を、移動する中間転写ベルト８上に順次重ね合わせて転写（１次転写）する。
【００２２】
中間転写ベルト８は、駆動ローラ９と２次転写対向ローラ１０とテンションローラ１１によって張架されており、駆動ローラ９の回転駆動によって、感光ドラム２ａ、２ｂ、２ｃ、２ｄの回転に同期して矢印方向に移動（回転）される。中間転写ベルト８は、ポリカーボネート、ポリエチレンテレフタレート樹脂フィルム、ポリフッ化ビニリデン樹脂フィルム、ポリイミド樹脂フィルム等のような誘電体樹脂によって構成されている。
【００２３】
テンションローラ１１は、感光ドラム２ａに対して中間転写ベルト８の移動方向下流側に配置され、バネ（不図示）による付勢力によって中間転写ベルト８に張力を付与している。また、中間転写ベルト８表面のテンションローラ１１と対向する位置には、ベルトクリーング装置１３の弾性体からなるクリーニングブレード１３ａが当接している。
【００２４】
また、２次転写対向ローラ１０と対向するようにして２次転写ローラ１２が設置されている。２次転写ローラ１２は、中間転写ベルト８を介して２次転写対向ローラ１０に当接・離間自在であり、２次転写時に中間転写ベルト８を介して２次転写対向ローラ１０に当接し、２次転写部Ｔｅを形成する。２次転写ローラ１２の転写材搬送方向に対して下流側には、定着ローラ１４ａと加圧ローラ１４ｂを有する定着装置１４が設置されている。
【００２５】
次に、上記した本実施の形態の画像形成装置による画像形成動作について説明する。
【００２６】
画像形成動作開始信号が発せられると、所定のプロセススピードで回転駆動される画像形成部１Ｙ、１Ｍ、１Ｃ、１Ｂｋの各感光ドラム２ａ、２ｂ、２ｃ、２ｄは、それぞれ１次帯電器３ａ、３ｂ、３ｃ、３ｄによって一様に本実施の形態では負極性の所定電位に帯電される。そして、露光装置７ａ、７ｂ、７ｃ、７ｄは、ホストコンピュータ（不図示）から入力されるカラー色分解された画像信号を光信号にそれぞれ変換し、変換された光信号であるレーザ光を帯電された各感光ドラム２ａ、２ｂ、２ｃ、２ｄ上にそれぞれ走査露光して静電潜像を形成する。
【００２７】
そして、先ず感光ドラム２ａ上に形成された静電潜像に、感光ドラム２ａの帯電極性（負極性）と同極性の現像バイアスが印加された現像器４ａによりイエローのトナーを付着させて反転現像を行い、トナー像として可視像化する。
【００２８】
そして、このイエローのトナー像は、１次転写部Ｔａにて転写バイアス電源（不図示）から１次転写バイアスが印加された１次転写ローラ５ａにより、移動（回転）している中間転写ベルト８上に１次転写される。
【００２９】
イエローのトナー像が転写された中間転写ベルト８は、駆動ローラ９の駆動によって画像形成部１Ｍ側に移動される。そして、画像形成部１Ｍにおいても、同様にして感光ドラム２ｂ上に形成されたマゼンタのトナー像が、１次転写部Ｔｂにて１次転写バイアス電源（不図示）から１次転写バイアスが印加された１次転写ローラ５ｂにより、中間転写ベルト８上のイエローのトナー像上に重ね合わせて転写される。
【００３０】
以下、同様にして中間転写ベルト８上に重畳転写されたイエロー、マゼンタのトナー像上に、画像形成部１Ｃ、１Ｂｋの感光ドラム２ｃ、２ｄで形成されたシアン、ブラックのトナー像を、各１次転写部Ｔｃ，Ｔｄにて各転写バイアス電源（不図示）から１次転写バイアスが印加された１次転写ローラ５ｃ、５ｄにより、順次重ね合わせて転写してフルカラーのトナー像を中間転写ベルト８上に形成する。
【００３１】
そして、中間転写ベルト８上のフルカラーのトナー像先端が２次転写ローラ１２と２次転写対向ローラ１０との間の２次転写部Ｔｅに移動されるタイミングに合わせて、カセット１５ａ又は１５ｂから搬送部１７を通して搬送された用紙などの転写材Ｐをレジストローラ対１８によって２次転写部Ｔｅに搬送し、２次転写バイアス電源（不図示）からトナーと逆極性の２次転写バイアスが印加された２次転写ローラ１２により、転写材Ｐ上にフルカラーのトナー像が一括して転写（２次転写）される。また、手差しカセット１６からも所望サイズの転写材Ｐを搬送して、同様にしてこの転写材Ｐ上にフルカラーのトナー像を一括して転写することもできる。
【００３２】
そして、フルカラーのトナー像が形成された転写材Ｐは定着装置１４に搬送され、定着装置１４の定着ローラ１４ａと加圧ローラ１４ｂ間の定着ニップ部でフルカラーのトナー像を加熱、加圧して転写材Ｐ表面に熱定着した後に、トレイ１９上に排紙される。
【００３３】
なお、上記した１次転写時において、感光ドラム２ａ、２ｂ、２ｃ、２ｄ上に残留している転写残トナーは、ドラムクリーニング装置６ａ、６ｂ、６ｃ、６ｄによってそれぞれ除去されて回収される。また、２次転写後に中間転写ベルト８表面に残留した残トナー（２次転写残トナー）は、ベルトクリーニング装置１３のクリーニングブレード１３ａによって除去されて回収される。
【００３４】
ところで、上述したようにテンションローラ１１は、中間転写ベルト８に張力を与えるためバネ（不図示）で付勢していることによって、中間転写ベルト８の移動状態によってはベルトクリーニング装置１３のクリーニングブレード１３ａと中間転写ベルト８表面の当接状態が不安定になる。このため、クリーニングブレード１３ａと中間転写ベルト８表面の当接状態によっては、クリーニングブレード１３ａの鳴きやめくれが生じて、クリーニング不良が発生するおそれがあった。
【００３５】
そこで、本発明者の検討によれば、ベルトクリーニング装置１３のクリーニングブレード１３ａと中間転写ベルト８表面との間に、粒径５０ｎｍ以上の無機微粒子を供給することにより、上記の問題を解決して良好なクリーニングを行うことができることが分かった。
【００３６】
そこで、本発明の実施の形態１では、各現像器４ａ、４ｂ、４ｃ、４ｄで現像に用いられるトナー中に、直径５０ｎｍ以上の無機微粒子、例えば、アルミナ、チタン酸ストロンチウム、酸化チタン、シリカ等のいずれかを外添えしたものを用いた。
【００３７】
本発明者の検討によれば、直径（粒径）が５０ｎｍ以上の無機微粒子は、その種類によらずトナーより遊離し易いことが分かっている。よって、図２に示すように、クリーニングブレード１３ａ近傍には、トナーより分離された形で無機微粒子（アルミナ、チタン酸ストロンチウム、酸化チタン、シリカ等）ｔが滞留し易くなる。なお、無機微粒子の直径が５０ｎｍ以下の場合には、この無機微粒子はクリーニングブレード１３ａ近傍にほとんど滞留することなく、クリーニングブレード１３ａのエッジ近傍から逃げてしまう。また、無機微粒子の直径（粒径）の上限については、本実施の形態では１μｍとした。
【００３８】
また、無機微粒子としてのシリカは、トナーと同極性に帯電されることによって以下のような利点を有する。即ち、トナーから遊離し易くクリーニングブレード１３ａのエッジ近傍に滞留しやすい点と、画像形成行程でトナーと一緒に感光ドラム２ａ、２ｂ、２ｃ、２ｄから中間転写ベルト８上に移行し易いという点である。
【００３９】
そして、更に無機微粒子の表面の単位面積当たりの電荷量がトナーの電荷量よりも大きいと、クリーニングブレード１３ａに到達するトナーの中により多くの無機微粒子が存在することができる。
【００４０】
この結果、クリーニングブレード１３ａ近傍にはこれら無機微粒子が滞留して、クリーニングブレード１３ａと中間転写ベルト８との当接状態が安定し、かつ、トナーをブロックする層を形成するため、安定して良好なクリーニングを行うことができる。
【００４１】
このように本実施の形態では、各現像器４ａ、４ｂ、４ｃ、４ｄで現像に用いられるトナー中に、直径５０ｎｍ以上の無機微粒子（アルミナ、チタン酸ストロンチウム、酸化チタン、シリカ等）を外添えしたものを用いたことにより、クリーニングブレード１３ａ近傍にトナーから遊離した無機微粒子が滞留することによって、クリーニングブレード１３ａと中間転写ベルト８との当接状態が安定し、かつ、トナーをブロックする層を形成するため、中間転写ベルト８表面に残留している残トナーを安定して良好にクリーニングすることができる。
【００４２】
〈実施の形態２〉
本実施の形態においても、図１に示した実施の形態１の画像形成装置を用いて説明する。
【００４３】
本実施の形態においても、実施の形態１と同様に各現像器４ａ、４ｂ、４ｃ、４ｄで現像に用いられるトナー中に、直径５０ｎｍ以上の無機微粒子（例えば、アルミナ、チタン酸ストロンチウム、酸化チタン、シリカ等）を外添えしたものを用いた。
【００４４】
そして、更に本実施の形態では、２次転写ローラ１２と２次転写対向ローラ１０との間の２次転写部Ｔｅで中間転写ベルト８表面のフルカラートナー像を一括して転写材Ｐ上に転写（２次転写）する以外の時に、２次転写ローラ１２に前記２次転写時とは逆極性（本実施の形態では負極性）の電圧を２次転写バイアス電源（不図示）から印加して、中間転写ベルト８表面に残留している残トナー及び残トナー中の無機微粒子をトナーの帯電極性と同極性（本実施の形態では負極性）に帯電するようにした。他の構成及び動作は、実施の形態１と同様である。
【００４５】
本実施の形態において、シリカのようなトナーと同極性に帯電された無機微粒子がトナーに外添されているが、２次転写時以外の時に２次転写時とは逆極性の電圧を２次転写ローラ１２に印加することにより、より効果的に無機微粒子をクリーニングブレード１３ａ近傍に送り込むことが可能となる。
【００４６】
即ち、無機微粒子（シリカなど）はトナーと同極性であるため、２次転写時に転写材Ｐにトナーを転写（２次転写）するためのバイアス印加により、無機微粒子がトナーと一緒に中間転写ベルト８から離れ易い。そこで２次転写時以外の時に、２次転写ローラ１２に前記２次転写時とは逆極性（本実施の形態では負極性）の電圧を２次転写バイアス電源（不図示）から印加することにより、無機微粒子が中間転写ベルト８上から離れにくくなり、また、既に中間転写ベルト８上から離れて２次転写ローラ１２側に転移していた無機外添材についても中間転写ベルト８上に戻すことも可能となる。
【００４７】
このように、２次転写時以外の時に２次転写時とは逆極性の電圧を２次転写ローラ１２に印加する制御を、特にクリーニングブレード１３ａの中間転写ベルト８との当接状態が不安定になりがちなときに行うことによって、より効果的にクリーニングブレード１３ａの挙動を安定化することが可能となる。
【００４８】
例えば、厚紙やＯＨＰ等のトナーを定着するために大きな熱量を必要とする転写材上に画像を形成する場合であるが、この時に定着装置１４の定着ローラ１４ａと加圧ローラ１４ｂ間の定着ニップ部を通過する転写材の搬送速度を遅くする方法がよく用いられるが、画像形成速度を転写材の搬送速度に合わせるために感光ドラム２ａ、２ｂ、２ｃ、２ｄの周速度や中間転写ベルト８の移動速度を遅くするように制御することがある。
【００４９】
このような場合、少しでもプリント時間（画像形成時間）を短縮するために、中間転写ベルト８の移動速度を必要最小限だけ遅くし、感光ドラム２ａ、２ｂ、２ｃ、２ｄは通常の周速度で駆動することが有効である。この際、中間転写ベルト８の移動速度を変化させた瞬間にテンションローラ１１に対する付勢力が変化することによってテンションローラ１１の位置が不安定になり、クリーニングブレード１３ａと中間転写ベルト８との当接状態が不安定になってクリーニング不良が生じる場合がある。
【００５０】
このため、上述したように本実施の形態では、各現像器４ａ、４ｂ、４ｃ、４ｄで現像に用いられるトナー中に、直径５０ｎｍ以上の無機微粒子（例えば、アルミナ、チタン酸ストロンチウム、酸化チタン、シリカ等）を外添えしたものを用い、更に２次転写時以外の時に２次転写時とは逆極性の電圧を２次転写ローラ１２に印加することにより、より効果的に無機微粒子をクリーニングブレード１３ａ近傍に送り込むことが可能となる。
【００５１】
よって、クリーニングブレード１３ａと中間転写ベルト８との当接状態が不安定になった場合でも、より効果的にクリーニングブレード１３ａの挙動を安定化することが可能となり、中間転写ベルト８表面に残留している残トナーを安定して良好にクリーニングすることができる。
【００５２】
【発明の効果】
以上説明したように本発明によれば、中間転写体と接するクリーニング部材の先端近傍に粒径５０ｎｍ以上の無機微粒子を供給することにより、クリーニング部材と中間転写体との当接状態が安定し、中間転写体表面に残留している残トナーを安定して良好にクリーニングすることができる。
【図面の簡単な説明】
【図１】本発明の実施の形態１、２に係る画像形成装置を示す概略構成図。
【図２】本発明の実施の形態１、２に係る画像形成装置の中間転写ベルトとクリーニングブレード近傍を示す図。
【図３】従来例における画像形成装置の中間転写ベルトとクリーニングブレード近傍を示す図。
【符号の説明】
１Ｙ、１Ｍ、１Ｃ、１Ｂｋ　　　　画像形成部
２ａ、２ｂ、２ｃ、２ｄ　　　　感光ドラム（像担持体）
３ａ、３ｂ、３ｃ、３ｄ　　　　１次帯電器
４ａ、４ｂ、４ｃ、４ｄ　　　　現像器
５ａ、５ｂ、５ｃ、５ｄ　　　　１次転写ローラ
６ａ、６ｂ、６ｃ、６ｄ　　　　ドラムクリーニング装置
７ａ、７ｂ、７ｃ、７ｄ　　　　露光装置
８　　　　中間転写ベルト（中間転写体）
１１　　　テンションローラ（第３のローラ部材）
１２　　　２次転写ローラ
１３　　　ベルトクリーニング装置
１３ａ　　クリーニングブレード（クリーニング部材）
１４　　　定着装置
ｔ　　　　無機微粒子
【図１】
2004037771.tif 000003
【図２】
2004037771.tif 000004
【図３】
2004037771.tif 000005